(57)【特許請求の範囲】
【請求項１】
混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部より上下摺動型のピン機構が上げ下ろしされて水栓エルボのフランジ部に係合され水栓エルボが前記固定具の上端部と下端部間から外れたり落下しないことを特徴とするユニットバスにおける混合水栓用継手の固定具。
【請求項２】
混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部または下端部より上下摺動型のバネ付ピン機構が上げ下ろしされて水栓エルボのフランジ部に係合され水栓エルボが前記固定具の上端部と下端部間から外れたり落下しないことを特徴とするユニットバスにおける混合水栓用継手の固定具。
【請求項３】
前記固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該支持板部と各水栓エルボのフランジ間に前記上端部または下端部側より適宜な厚さを有するスペーサ−を選択して装着し前記一対の水栓エルボの先端ネジ部の出幅が夫々調整可能であり、該水栓エルボの先端ネジ部の出幅部に各水栓エルボの固定ナットを螺着し各水栓エルボをユニットバス側壁に固着したことを特徴とする請求項１または請求項２のいずれかに記載されたユニットバスにおける混合水栓用継手の固定具。
【請求項４】
前記各水栓エルボの先端ネジ部の出幅部にユニットバス側壁内部より螺着して各水栓エルボを側壁に固着するための固定ナットはユニットバス側壁面に圧着される面側にＯリングパッキンを内蔵した構成としたことを特徴とする請求項１乃至請求項３のいずれかに記載されたユニットバスにおける混合水栓用継手の固定具。
【発明の詳細な説明】
【技術分野】
【０００１】
本発明は、ユニットバスの側壁に一対の混合水栓用継手を取付けるための固定具に関するものであり、特に本発明は、ユニットバスの側壁裏面に水栓エルボを固定するための固定具に関するものである。
【背景技術】
【０００２】
ユニットバスの側壁に湯水の混合水栓を取付けるには、ユニットバスの側壁に挿通される一対の混合水栓用継手を側壁に簡単、且つ効率よく固定できること、並びにユニットバスの壁面形状や壁厚の違いにも対応できる混合水栓用継手の固定具が求められてきている。
【０００３】
従来のユニットバスにおける混合水栓用継手の固定方法例として、ユニットバスの側壁裏面に混合水栓用継手を固定するコの字型、またはチャンネル形状の固定具を予め取付け、この固定具に一対の水栓エルボを装着し、ユニットバス側壁に穿った貫通穴に前記水栓エルボの先端継手ネジ部を挿着した後、ユニットバスの内部側より水栓エルボの外ネジに固定ナットを締結してユニットバス側壁に水栓エルボを挟持すると共に、ユニットバス内部側より水栓エルボ内ネジ部にユニットバス用混合水栓を接続する方法が知られている。
【０００４】
斯くして、上述したタイプの取付固定具として、特開平７−２６８９１５号公報（以下、特許文献１と称する）が開示されている。特許文献１は、水栓エルボを挿通する透孔が形成されているチャンネル形状の支持板の隅部にナットを固着し、該ナットに螺合する長ボルトが前記支持板の側方に突出するようにしたので、軽量鉄骨下地に該長ボルトの挿透孔を形成するのみで前記支持板を介して水栓エルボを固定することができ、従来の取付固定具の様に木質系だけでなく軽量鉄骨下地にも取付け固定できる水栓エルボの取付固定具を提供して、仕上壁工事や配管工事の工程に影響されずに作業が進行できて、作業効率の向上に役立つものである。
【０００５】
また、コの字に折り曲げた連結材としての固定プレートを用いた混合水栓用の継手として、特許第３３０４０７５号公報（以下、特許文献２と称する）が開示されている。特許文献２は、第１配管接続部において混合水栓の導入部と接続し、第２配管接続部において樹脂製のパイプと接続する筒状体を複数備え、各筒状体の外周に雄ねじ部を形成し、支持壁に穿設された取付孔に各筒状体を挿通して一対のナットを支持壁の両側から前記雄ねじ部に螺合し同ナットで支持壁を締め付けることにより各筒状体を支持壁に取り付けるように構成するとともに、各筒状体に接続される前記パイプの軸線とその筒状体の雄ねじ部に螺合される前記ナットの回動軸とが所定角度で交差する混合水栓用継手であって、前記筒状体が挿通される挿通孔を有する連結部材で複数の筒状体を連結するとともに、各筒状体と連結部材に互いに係合する係止部を設けて筒状体と連結部材が相対回動するのを防ぐように構成し、さらに前記連結部材に筒状体の雄ねじ部に螺合される一対のナットのいずれか一方の回動を規制する規制部材を設けた混合水栓用継手である。
【０００６】
従って、特許文献２は、一対のナットを支持壁（ユニットバス等の壁面）の両側より締め付けて混合水栓を固定するにあたり、支持壁の片面に上端縁と下端縁を折り曲げストッパを形成したコの字形状の固定プレートを介して取付けるものであり、取付用ナットの対向する二辺と上端縁と下端縁の両ストッパとが係合することによってナットの回動が規制されるので一方のナットを回動操作したときに、他方のナットがそれと同方向に回転するのを防ぐことができるので、他方のナットを改めて固定することなく、確実にナットを締め付けたり緩めたりすることができるものである。
【０００７】
更にまた、要部の断面形状がコの字形状に折り曲げられており、壁裏にリブが形成されているユニットバスにおいても混合水栓をユニットバスの壁に取付けるための水栓エルボ固定具が、特開２００６−２６５８３２号公報（以下、特許文献３と称する）に開示されている。特許文献３は、水栓をユニットバスの側壁に取付けるために、前記ユニットバスの側壁の壁裏に水栓エルボを固定する固定具であって、前記側壁の壁裏に当接し、前記水栓エルボを支持する複数の支持部と、該支持部どうしを連結する連結部とを備え、前記連結部は、支持部が側壁の壁裏に当接した状態で、前記側壁の壁裏のリブとの干渉を回避するための空間部を前記側壁との間に形成すべく、前記支持部から屈曲して形成されたものであり、前記壁裏のリブを跨いだ状態で、壁の内側の水栓の配置位置に対応した壁裏にも配置できる要部断面形状がコの字形状を有する水栓エルボ固定具を提供しているものである。
【０００８】
而して、特許文献１乃至特許文献３により開示された従来技術は、いずれも、ユニットバスの側壁裏面に水栓エルボを固定するコの字型、またはチャンネル形状の固定具を予め取付け、この固定具に一対の水栓エルボを装着し、ユニットバス側壁に穿った貫通穴に前記水栓エルボの先端継手ネジ部を挿着した後、ユニットバスの内部側より水栓エルボの外ネジに固定ナットを締結してユニットバス側壁に水栓エルボを挟持すると共に、ユニットバス内部側より水栓エルボ継手内ネジ部にユニットバス用混合水栓を接続するための固定具である。
【０００９】
特許文献１乃至特許文献３に開示された従来技術は、それぞれ明確な課題と課題を解決するための手段を有しているが、共通する欠点としてユニットバスの側壁を組み立て完了後の点検、或いはリフォーム時における混合水栓の取外し時において、誤ってユニットバスの内壁側に設けられた水栓エルボ用の固定ナット（水栓エルボの締付けナット）を外してしまい水栓エルボがユニットバスの側壁裏面に落ちてしまうことがあった。
【００１０】
また、特許文献１乃至特許文献３に開示された従来技術においては、例えば特許文献３はユニットバス側壁の裏面に補強用のリブが介在した場合の解決手段を提示しているが、特許文献１乃至特許文献３の共通した欠点として、ユニットバスのメーカー毎に夫々ユニットバスの壁厚が異なる場合等があり、当該壁厚に水栓エルボの端部寸法が調整できずに寸法不足や水栓ネジの接続端面が異常に突出して正常な取付けができない場合があった。
【先行技術文献】
【特許文献】
【００１１】
【特許文献１】特開平７−２６８９１５号公報
【特許文献２】特許第３３０４０７５号公報
【特許文献３】特開２００６−２６５８３２号公報
【発明の概要】
【発明が解決しようとする課題】
【００１２】
斯くして、本発明は、ユニットバスにおける混合水栓用継手の固定具に関するものであり、ユニットバスの側壁を組み立て完了後の点検、或いはリフォーム時における混合水栓の取外し時において、誤ってユニットバスの内壁側に設けられた水栓エルボ用の固定ナット（水栓エルボの締付けナット）を外してしまい水栓エルボがユニットバスの側壁裏面に落ちてしまうことを確実に防止できる固定具を提供するものである。
【００１３】
また、本発明は、従来の混合水栓用継手の固定具が、解消できなかった点、即ち、ユニットバスのメーカー毎に夫々ユニットバスの壁厚が異なる場合等があり、当該壁厚に水栓エルボの先端ネジ部の寸法が調整できずに固定ナットの取付寸法不足や水栓ネジの接続端面が異常に突出して正常な取付けができなかった点を解決した混合水栓用継手の固定具を提供するものである。
【００１４】
従って、本発明が解決しようとする課題は、従来の固定具の構造的欠陥を改良して、簡単且つ容易に取付の可能なユニットバスにおける混合水栓用継手の固定具を提供するものである。
【課題を解決するための手段】
【００１５】
本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部より上下摺動型のピン機構が上げ下ろしされて水栓エルボのフランジ部に係合され水栓エルボが前記固定具の上端部と下端部間から外れたり、落下しない混合水栓用継手の固定具を提供するものである。
【００１６】
また、本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部または下端部より上下摺動型のバネ付ピン機構が上げ下ろしされて水栓エルボのフランジ部に係合され水栓エルボが前記固定具の上端部と下端部間から外れたり、落下しないユニットバスにおける混合水栓用継手の固定具を提供するものである。
【００１７】
更に本発明は、ユニットバスの壁厚がメーカーや製品種別により異なり、ユニットバスの壁厚に水栓エルボの先端ネジ部の寸法が調整できずに固定ナットの取付寸法不足や先端ネジ部の接続端面が異常に側壁内部に突出して正常な取付けができなかった点を固定具の形状を変えることにより解決するものである。本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該支持板部と各水栓エルボのフランジ間に前記上端部または下端部側より適宜な厚さを有するスペーサ−を選択して装着して前記一対の水栓エルボの先端ネジ部の出幅が夫々調整可能な混合水栓用継手の固定具を提供するものである。
【００１８】
そして、前記各水栓エルボの先端ネジ部の出幅部にユニットバス側壁内部より螺着して各水栓エルボを側壁に固着するための固定ナットはユニットバス側壁面に圧着される面側にＯリングパッキンを内蔵した構成としたユニットバスにおける混合水栓用継手の固定具を提供するものである。尚、前記固定ナットは通常厚さが４〜５ｍｍ程度で直径が３８〜４５ｍｍφの円に内接するサイズを使用している。
【発明の効果】
【００１９】
斯くして、本発明は、ユニットバスにおける混合水栓用継手の固定具に関するものであり、該混合水栓用継手の固定具は、ユニットバスの側壁を組み立て完了後の点検、或いはリフォーム時における混合水栓の取外し時において、誤ってユニットバスの内壁側に設けられた水栓エルボ用の固定ナット（水栓エルボの締付けナット）を外してしまい水栓エルボがユニットバスの側壁裏面に落ちてしまうことを確実に防止できる固定具を提供するものであり、水栓エルボを誤ってユニットバス側壁裏面に脱落させてしまった場合に発生するユニットバス側壁の解体、再組み立て作業等の後戻り工程をなくすことができる。
【００２０】
また、本発明は、ユニットバスの壁厚がメーカーや製品種別により異なり、ユニットバスの壁厚に水栓エルボの先端ネジ部の寸法が調整できずに固定ナットの取付寸法不足や先端ネジ部の接続端面が異常に側壁内部に突出して正常な取付けができなかった点を解消するもので、固定具の支持板部と各水栓エルボのフランジ間に上端部または下端部側より適宜な厚さを有するスペーサ−を選択して装着して、前記一対の水栓エルボの先端ネジ部の出幅が夫々調整可能とした。従って、本発明では、当該先端ネジ部の出幅はスペーサーを省いたり、異なる厚さを有するスペーサーを取付けることにより可変でき、ユニットバスの壁厚で３〜２５ｍｍまでの壁厚に対応できる混合水栓用継手の固定具を提供することができた。
【００２１】
そして、本発明は、従来の固定具の構造的欠陥を改良して、ユニットバスの側壁に一対の水栓エルボを簡単、且つ容易に取付可能なユニットバスにおける混合水栓用継手の固定具を提供可能にした。
【図面の簡単な説明】
【００２２】
【図１】本発明に使用する固定具の形状を説明する斜視図である。
【図２】実施例１を説明する組み立て部品図である。
【図３】（Ａ）実施例１を説明する要部断面図である。（Ｂ）実施例１を説明する要部断面図で、送り座、導水管の装着図である。
【図４】実施例２を説明する要部断面図である。
【発明を実施するための形態】
【００２３】
本発明は、ユニットバスにおける混合水栓用継手の固定具に関するものであり、ユニットバスの側壁を組み立て完了後の点検、或いはリフォーム時における混合水栓の取外し時において、誤ってユニットバスの内壁側に設けられた水栓エルボ用の固定ナット（水栓エルボの締付けナット）を外してしまい水栓エルボがユニットバスの側壁裏面に落ちてしまうことを確実に防止できる固定具を提供するものである。
【００２４】
また、本発明は、従来の混合水栓用継手の固定具が、解消できなかった点、即ち、ユニットバスのメーカー毎に夫々ユニットバスの壁厚が異なる場合等があり、当該壁厚に水栓エルボの先端ネジ部の寸法が調整できずに固定ナットの取付寸法不足や水栓ネジの接続端面が異常に突出して正常な取付けができなかった点を解決した混合水栓用継手の固定具を提供するものである。
【００２５】
そして、本発明は、従来の混合水栓用継手の固定具において構造的欠陥を改良して、簡単、且つ容易に取付の可能なユニットバスにおける混合水栓用継手の固定具を提供するものである。
【００２６】
斯くして、本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部より上下摺動型のピン機構が上げ下ろしされて水栓エルボのフランジ部に係合され水栓エルボが前記固定具の上端部と下端部間から外れたり、落下しない構成であることが好ましい。
【００２７】
また、本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該水栓エルボのフランジ部には固定具の上端部または下端部より上下摺動型のバネ付ピン機構が上げ下ろしされて水栓エルボのフランジ部に係合され水栓エルボが前記固定具の上端部と下端部間から外れたり、落下しない構成であることが好ましい。
【００２８】
更に本発明は、ユニットバスの壁厚がメーカーや製品種別により異なり、ユニットバスの壁厚に水栓エルボの先端ネジ部の寸法が調整できずに固定ナットの取付寸法不足や先端ネジ部の接続端面が異常に側壁内部に突出して正常な取付けができなかった点を固定具の形状を変えることにより解決するものである。本発明は、混合水栓をユニットバスの側壁に取付けるために前記ユニットバスの側壁の裏面に水栓エルボを固定する固定具にあって、該固定具はその断面形状が略コの字形状を有しユニットバスの側壁の裏面に固着される支持板部並びにリブ状に突出した上端部と下端部からなり、該支持板部に一対の水栓エルボの先端ネジ部が挿通する透孔を穿設すると共に前記上端部と下端部により挿通する各水栓エルボのフランジ部を嵌合して水栓エルボを着脱自在に保持しており、該支持板部と各水栓エルボのフランジ間に前記上端部または下端部側より適宜な厚さを有するスペーサ−を選択して装着して前記一対の水栓エルボの先端ネジ部の出幅が夫々調整可能であり、該水栓エルボの先端ネジ部の出幅部に各水栓エルボの固定ナットを螺着して各水栓エルボをユニットバス側壁に固着する構成であることが好ましい。
【００２９】
そして、前記各水栓エルボの先端ネジ部の出幅部にユニットバス側壁内部より螺着して各水栓エルボを側壁に固着するための固定ナットはユニットバス側壁面に圧着される面側にＯリングパッキンを内蔵した構成であることが好ましい。
【実施例１】
【００３０】
図１は本発明に係る混合水栓用の固定具を説明する斜視図であり、図２は実施例１を説明する組み立て部品図、図３（Ａ）は実施例１を説明する要部断面図、図３（Ｂ）は実施例１を説明図で前記図３（Ａ）に送り座並びに導水管を装着した状態を示す要部断面図である。
【００３１】
図１乃至図３において、１は水栓エルボを固定するための固定具であり、該固定具１はその断面形状が略コの字形状を有しユニットバス側壁２（図３に示す）の裏面３に固着される支持板部４、並びにリブ形状に突出した上端部５と下端部６から形成されており、前記支持板部４には一対の水栓エルボ７ａ、７ｂ（水栓エルボ７ａは図２、図３に示す）の先端ネジ部８ａ、８ｂが挿通する透孔９ａ、９ｂが穿設されている。
【００３２】
また、前記固定具１には、夫々係止部１０を有する略Ｕ字形状のスペーサー１１ａ、１１ｂが装着され係止可能な装着孔１２ａ、１２ｂ，１３ａ、１３ｂが設けられており、該略Ｕ字形状のスペーサー１１ａ、１１ｂはその厚さの異なる数種類のスペーサーを選択して装着孔１２ａ、１２ｂ、並びに装着孔１３ａ、１３ｂに装着することにより、前記水栓エルボ７ａ、７ｂの先端ネジ部８ａ、８ｂの出幅が夫々調整可能である。尚、図１において、１４ａ、１４ｂは上下摺動型のピン機構、１５ａ、１５ｂ、１５ｃは固定具１をユニットバス裏面３に固定するためのビス孔、１６ａ、１６ｂは前記水栓エルボ７ａ、７ｂの先端ネジ部８ａ、８ｂに螺合して水栓エルボ７ａ、７ｂを側壁２に固着するための固定ナットで、該固定ナット１６ａ、１６ｂはユニットバス側壁２側の圧着される面側にＯリングパッキン１７を夫々内蔵している。
【００３３】
そして、図２は固定具１を中心に視線を変えて表示した組み立て部品図であり、１は固定具、４は固定具の支持板部、５は固定具の上端部、６は固定具の下端部、９ａ、９ｂ透孔、１１ａは係止部１０を夫々有する略Ｕ字形状のスペーサ−、１２ａ、１２ｂ、１３ａ、１３ｂはスペーサ−の装着孔、１４ａ、１４ｂは上下摺動型のピン機構、１５ａ、１５ｂ、１５ｃは固定具１をユニットバス裏面３に固定するためのビス孔である。
【００３４】
斯くして、図２における１８ａ、１８ｂはユニットバスに穿設した貫通穴であり、水栓エルボ７ａの先端ネジ部８ａが固定具１の透孔９ａと前記貫通孔１８ａを挿通してユニットバス側壁２内で固定ナット１６ａにて固着される構成で、水栓エルボ７ａのフランジ部１９はこの時、略コの字形状の固定具１に嵌合している。
【００３５】
次に、図２における水栓エルボ７ａ部分の組み立て完了状態を図３（Ａ）（Ｂ）に示す。図３（Ａ）は実施例１を説明する要部断面図、図３（Ｂ）は実施例１の説明図で前記図３（Ａ）に送り座並びに導水管を装着した状態を示す要部断面図である。図３（Ａ）（Ｂ）において、１は固定具、４は固定具の支持板部、５は固定具の上端部、６は固定具の下端部、１１ａは固定具の上端部５側より装着され水栓エルボ７ａとユニットバス側壁裏面３間の距離を調整可能なスペーサー、１４ａは固定具の上端部５より懸架された上下摺動ピン機構で、該上下摺動ピン機構１４ａは指先で持ち上げることによりピン下部２０が上部にあがり、前記水栓エルボ７ａのフランジ部１９が固定具１に装着でき、該水栓エルボ７ａのフランジ部１９を装着した後、手を離すとピン下部２０が自然に落下して水栓エルボ７ａの脱落を防止する構造としている。
【００３６】
また、前記水栓エルボ７ａの先端ネジ部８ａはユニットバス側壁２側への出幅を調整され固定ナット１６ａにてユニットバス側壁２に固定されている。図３（Ｂ）は図３（Ａ）に送り座２１並びに導水管２２を取付けた状態を示しており、前記固定ナット１６ａを送り座２１でカバーすることで美しい外観を得ることが可能である。尚、図３（Ａ）（Ｂ）において２４は前記水栓エルボ７ａに接続された導水パイプであり、該導水パイプ２４は図に示す如く下方から配管されている所謂、床下型配管タイプにおける実施例である。
【００３７】
斯くして、実施例１は、混合水栓をユニットバスの側壁２に取付けるために前記ユニットバスの側壁２の裏面３に水栓エルボ７ａ、７ｂを固定する固定具１にあって、該固定具１はその断面形状が略コの字形状を有しユニットバスの側壁の裏面３に固着される支持板部４並びにリブ状に突出した上端部５と下端部６からなり、該支持板部４に一対の水栓エルボ７ａ、７ｂの先端ネジ部８ａ、８ｂが挿通する透孔９ａ、９ｂを穿設すると共に前記上端部５と下端部６により挿通する各水栓エルボ７ａ、７ｂのフランジ部１９を嵌合して水栓エルボ７ａ、７ｂを着脱自在に保持しており、該水栓エルボ７ａ、７ｂのフランジ部１９には上端部５より上下摺動型のピン機構１４ａ、１４ｂが上げ下ろしされて水栓エルボ７ａ、７ｂのフランジ部１９に係合され水栓エルボ７ａ、７ｂが前記支持板部４の上端部５と下端部６間から外れたり落下しないように構成した。
【００３８】
また、実施例１において、前記固定具１はその断面形状が略コの字形状を有しユニットバスの側壁の裏面３に固着される固定具の支持板部４、並びにリブ状に突出した上端部５と下端部６からなり、該支持板部４に一対の水栓エルボ７ａ、７ｂの先端ネジ部８ａ、８ｂが挿通する透孔９ａ、９ｂを穿設すると共に前記上端部５と下端部６により挿通する各水栓エルボ７ａ、７ｂのフランジ部１９を嵌合して水栓エルボ７ａ、７ｂを着脱自在に保持しており、該支持板部４と各水栓エルボのフランジ１９間に前記上端部５または下端部６側より適宜な厚さを有するスペーサ−を選択して装着して前記一対の水栓エルボ７ａ、７ｂの先端ネジ部８ａ、８ｂの出幅が夫々調整可能であり、該水栓エルボ７ａ、７ｂの先端ネジ部８ａ、８ｂの出幅部に各水栓エルボの固定ナット１６ａ、１６ｂを螺着して各水栓エルボ７ａ、７ｂをユニットバス側壁２に固着したユニットバスにおける混合水栓用継手の固定具を提供した。
【００３９】
そして、前記各水栓エルボ７ａ、７ｂの先端ネジ部８ａ、８ｂの出幅部にユニットバス側壁２内部より螺着して各水栓エルボ７ａ、７ｂを側壁に固着するための固定ナット１６ａ、１６ｂはユニットバス側壁２の面に圧着される面側にＯリングパッキン１７を内蔵した構成としている。
【実施例２】
【００４０】
図４は実施例２を説明する要部断面図であり、図４において、１は固定具、４は固定具の支持板部、５は固定具の上端部、６は固定具の下端部、１１ａは固定具の上端部５側より装着され水栓エルボ７ａとユニットバス側壁裏面３間の距離を調整可能なスペーサー、２５ａは固定具の上端部５に設けられた上下摺動型のバネ付ピン機構で、該上下摺動型バネ付ピン機構２５ａは、スプリング２６にてピン下部２０が常に上部にあがり、前記水栓エルボ７ａのフランジ部１９が固定具１に装着でき、水栓エルボ７ａの脱落を防止する構造としている。
【００４１】
また、前記水栓エルボ７ａの先端ネジ部８ａはユニットバス側壁２側への出幅を調整され固定ナット１６ａにてユニットバス側壁２に固定されている。そして、図４は、送り座２１、並びに導水管２２を取付けた状態を示しており、前記固定ナット１６ａを送り座２１でカバーすることで美しい外観を得ることが可能である。尚、図４において、２４は前記水栓エルボ７ａに接続された導水パイプであり、該導水パイプ２４は図に示す如く上方から配管されている所謂、天井配管タイプにおける実施例である。尚、上述した実施例２は上下摺動型のバネ付ピン機構２５ａを用いた天井配管タイプを例に説明したが、前記上下摺動型のバネ付ピン機構２５ａは実施例１において説明した床下型配管タイプにも使用できることは云うまでもない。
【００４２】
斯くして、実施例２は、混合水栓をユニットバスの側壁２に取付けるために前記ユニットバスの側壁の裏面３に水栓エルボ７ａ、７ｂを固定する固定具１にあって、該固定具１はその断面形状が略コの字形状を有しユニットバスの側壁の裏面３に固着される支持板部４、並びにリブ状に突出した上端部５と下端部６からなり、該支持板部４に一対の水栓エルボ７ａ、７ｂの先端ネジ部８ａ、８ｂが挿通する透孔９ａ、９ｂを穿設すると共に前記上端部５と下端部６により挿通する各水栓エルボ７ａ、７ｂのフランジ部１９を嵌合して水栓エルボ７ａ、７ｂを着脱自在に保持しており、該水栓エルボ７ａ、７ｂのフランジ部１９には上端部５、または下端部６より上下摺動型のバネ付ピン機構が上げ下ろしされて水栓エルボ７ａ、７ｂのフランジ部１９に係合され水栓エルボ７ａ、７ｂが前記上端部５と下端部６間から外れたり落下しないように構成した。
【００４３】
本発明の実施例１及び２は、ユニットバスにおける混合水栓用継手の固定具に関するものであり、該混合水栓用継手の固定具は、ユニットバスの側壁を組み立て完了後の点検、或いはリフォーム時における混合水栓の取外し時において、誤ってユニットバスの内壁側に設けられた水栓エルボ用の固定ナット（水栓エルボの締付けナット）を外してしまい水栓エルボがユニットバスの側壁裏面に落ちてしまうことを確実に防止できる固定具を提供するものであり、水栓エルボを誤ってユニットバス側壁裏面に脱落させてしまった場合に発生するユニットバス側壁の解体、再組み立て作業等の後戻り工程をなくすことができる。
【００４４】
また、本発明は、ユニットバスの壁厚がメーカーや製品種別により異なり、ユニットバスの壁厚に水栓エルボの先端ネジ部の寸法が調整できずに固定ナットの取付寸法不足や先端ネジ部の接続端面が異常に側壁内部に突出して正常な取付けができなかった点を解消するもので、固定具の支持板部と各水栓エルボのフランジ間に上端部または下端部側より適宜な厚さを有するスペーサ−を選択し装着して、前記一対の水栓エルボの先端ネジ部の出幅が夫々調整可能とした。従って、本発明では、当該先端ネジ部の出幅はスペーサーを省いたり、異なる厚さを有するスペーサーを取付けることにより可変でき、ユニットバスの壁厚で３〜２５ｍｍまでの壁厚に対応できる混合水栓用継手の固定具を提供することができた。
【００４５】
そして、本発明は、従来の固定具の構造的欠陥を改良して、ユニットバスの側壁に一対の水栓エルボを簡単、且つ容易に取付可能なユニットバスにおける混合水栓用継手の固定具を提供可能にした。
【符号の説明】
【００４６】
１  固定具
２  ユニットバス側壁
３  ユニットバス側壁裏面
４  固定具の支持板部
５  固定具の上端部
６  固定具の下端部
７ａ、７ｂ  水栓エルボ
８ａ、８ｂ  先端ネジ部
９ａ、９ｂ  透孔
１０  係止部
１１ａ、１１ｂ  スペーサー
１２ａ、１２ｂ  装着孔
１３ａ、１３ｂ  装着孔
１４ａ、１４ｂ  上下摺動型のピン機構
１５ａ、１５ｂ、１５ｃ  ビス孔
１６ａ、１６ｂ  固定ナット
１７  Ｏリングパッキン
１８ａ、１８ｂ  貫通孔
１９  水栓エルボのフランジ部
２０  ピン下部
２１  送り座
２２  導水管
２３  取り合い部
２４  導水パイプ
２５ａ、２５ｂ  バネ付ピン機構
２６  スプリング
【図１】
0005846492.tif 000002
【図２】
0005846492.tif 000003
【図３】
0005846492.tif 000004
【図４】
0005846492.tif 000005